(57)【特許請求の範囲】
【請求項１】
電気回路を備える基板ユニットと、
前記基板ユニットが取付けられるフレーム部と、
前記フレーム部との間で前記基板ユニットを挟持し、可撓性を有するシールド部と、
前記基板ユニット、前記フレーム部及び前記シールド部が配置される空間を規定するケース部と、
を備え、
前記シールド部は、前記フレーム部に固定される固定端である第１の端部と、前記第１の端部と反対側に設けられる自由端である第２の端部とを備え、前記第１の端部を支点として前記フレーム部から離れる方向に撓む第１の撓み状態と、撓んでいない第２の撓み状態との間で撓み状態が変化し、
前記ケース部は、前記シールド部が前記第１の撓み状態の際に前記シールド部の前記第２の端部が当接する当接部を備える基板保持装置。
【請求項２】
前記基板ユニットは、
第１のコネクタを備える第１の回路基板と、
前記第１のコネクタと係合する第２のコネクタを備え、前記第１の回路基板と前記シールド部との間に設けられる第２の回路基板と、
を備える請求項１の基板保持装置。
【請求項３】
前記シールド部の前記第２の端部が前記当接部に当接した際に、前記当接部は前記シールド部に前記フレーム部へ向かう力を与え、前記シールド部により前記基板ユニットの前記第２の回路基板が前記第１の回路基板に向かって押圧される請求項２の基板保持装置。
【請求項４】
前記第１のコネクタと前記第２のコネクタとが正常に係合していない状態において、前記シールド部は前記第１の撓み状態となり、
前記第１のコネクタと前記第２のコネクタとが正常に係合している状態において、前記シールド部は前記第２の撓み状態となる請求項２の基板保持装置。
【請求項５】
前記シールド部は、一体で形成されている請求項１の基板保持装置。
【発明の詳細な説明】
【技術分野】
【０００１】
本発明は、複数の回路基板が積層状態で配置された基板ユニットを備え、基板ユニットのそれぞれの基板の間の電気接続を保持する基板保持装置に関する。
【背景技術】
【０００２】
一般に、内視鏡、携帯電話等の電子装置は、複数の回路基板が積層状態で配置された基板ユニットを備える。基板ユニットは電気回路を備え、それぞれの回路基板の間は、コネクタにより電気接続されている。電子装置には、基板ユニットのそれぞれの回路基板の間の電気接続を保持する基板保持装置が設けられている。
【０００３】
特許文献１には、第１の回路基板と第２の回路基板との間がコネクタにより電気接続された基板ユニットを備える基板保持装置が開示されている。この基板保持装置では、第１の回路基板がカバーケースに固定されている。第１の回路基板と第２の回路基板との間はスペーサ及び締結部材を介して連結されている。また、第２の回路基板は保持リブからの弾力により、第１の回路基板に向かって押圧されている。これにより、第１の回路基板と第２の回路基板との間の電気接続が保持されている。
【０００４】
特許文献２には、第１の回路体と、第１の回路体にコネクタを介して電気接続される第２の回路体とを備える電気接続構造が開示されている。この電気接続構造では、押付け部材の取付部がねじを介して第２の回路体に取り付けられている。そして、押付け部材の挟持部が第１の回路体と弾性的に接触し、第２の回路体と挟持部との間で第１の回路体を挟持している。これにより、第１の回路体と第２の回路体との間の電気接続が保持されている。
【先行技術文献】
【特許文献】
【０００５】
【特許文献１】特開２００６−３３９２０６号公報
【特許文献２】特開２００９−２５３０７８号公報
【発明の概要】
【発明が解決しようとする課題】
【０００６】
上記特許文献１の基板保持装置では、第１の回路基板と第２の回路基板との間がスペーサ及び締結部材を介して連結されている。第１の回路基板と第２の回路基板とを連結するスペーサ、締結部材等を設けることにより、部品点数が増加する。また、この基板保持装置では、第１の回路基板及び第２の回路基板にスペーサを取り付ける箇所を設ける必要があり、スペーサの寸法に対応させて第１の回路基板と第２の回路基板との間の間隔を確保する必要がある。実際に、内視鏡の操作部等の限られたスペースに基板ユニットを配置する場合がある。この場合、回路基板の大きさ及び基板ユニットの大きさが、制限される。このため、第１の回路基板及び第２の回路基板にスペーサの取り付け箇所を確保すること、及び、第１の回路基板と第２の回路基板との間に間隔を確保することが、困難となる。
【０００７】
また、上記特許文献１の基板保持装置では、第２の回路基板は保持リブからの弾力により、第１の回路基板に向かって押圧されている。このため、第２の回路基板が保持リブにより必要以上の弾力で押圧される場合がある。この場合、第１の回路基板と第２の回路基板との間を電気接続するコネクタに過度の負荷が掛かり、コネクタが破損する可能性がある。
【０００８】
また、上記特許文献２の電気接続構造では、押付け部材の挟持部が第１の回路体と弾性的に接触し、第２の回路体と挟持部との間で第１の回路体を挟持している。このため、第１の回路体を挟持する力が大きい場合、第１の回路体と第２の回路体との間を電気接続するコネクタに過度の負荷が掛かり、コネクタが破損する可能性がある。したがって、基板保持装置の組み立て時に、押付け部材の取付部を第２の回路体に取り付けるねじの締結トルクを調整して、第１の回路体を挟持する力を調整することが必要となる。このため、基板保持装置の組み立て時の作業性が低下する。
【０００９】
本発明は上記課題に着目してなされたものであり、その目的とするところは、部品の点数を最小限に抑え、組み立て時の作業性を低下させることなく、かつ、コネクタに過度の負荷が掛かることを防止可能な基板保持装置を提供することにある。
【課題を解決するための手段】
【００１０】
上記目的を達成するために、本発明のある態様の基板保持装置は、電気回路を備える基板ユニットと、前記基板ユニットが取付けられるフレーム部と、前記フレーム部との間で前記基板ユニットを挟持し、可撓性を有するシールド部と、前記基板ユニット、前記フレーム部及び前記シールド部が配置される空間を規定するケース部と、を備え、前記シールド部は、前記フレーム部に固定される固定端である第１の端部と、前記第１の端部と反対側に設けられる自由端である第２の端部とを備え、前記第１の端部を支点として前記フレーム部から離れる方向に撓む第１の撓み状態と、撓んでいない第２の撓み状態との間で撓み状態が変化し、前記ケース部は、前記シールド部が前記第１の撓み状態の際に前記シールド部の前記第２の端部が当接する当接部を備える。
【００１１】
この基板保持装置では、前記複数の回路基板は、第１のコネクタを備える第１の回路基板と、前記第１のコネクタと係合する第２のコネクタを備え、前記第１の回路基板と前記シールド部との間に設けられる第２の回路基板とを備えてもよい。この場合、前記シールド部の前記第２の端部が前記当接部に当接した際に、前記当接部は前記シールド部に前記フレーム部へ向かう力を与え、前記シールド部により前記基板ユニットの前記第２の回路基板が前記第１の回路基板に向かって押圧されることが好ましい。また、この場合、前記第１のコネクタと前記第２のコネクタとが正常に係合していない状態において、前記シールド部は前記第１の撓み状態となり、前記第１のコネクタと前記第２のコネクタとが正常に係合している状態において、前記シールド部は前記第２の撓み状態となることも好ましい。
【００１２】
さらに、この基板保持装置では、前記シールド部は、一体で形成されていることが好ましい。
【発明の効果】
【００１３】
本発明によれば、部品の点数を最小限に抑え、組み立て時の作業性を低下させることなく、かつ、コネクタに過度の負荷が掛かることを防止可能な基板保持装置を提供することができる。
【図面の簡単な説明】
【００１４】
【図１】本発明の第１の実施形態に係る内視鏡の操作部の内部構成を示す概略図。
【図２】第１の実施形態に係る基板保持装置を示す斜視図。
【図３】第１の実施形態に係る基板保持装置を部材ごとに分解した状態で示す斜視図。
【図４】第１の実施形態に係る基板保持装置のシールド部が撓んでいない第２の撓み状態を示す側面図。
【図５】第１の実施形態に係る基板保持装置のシールド部が撓んだ第１の撓み状態を示す側面図。
【発明を実施するための形態】
【００１５】
（第１の実施形態）  
本発明の第１の実施形態について、図１乃至図５を参照して説明する。なお、本実施形態では、内視鏡の操作部１に設けられる撮像用の第１の回路基板１１と第２の回路基板１２との間の電気接続を保持する基板保持装置２を例に挙げて説明するが、これに限るものではない。例えば、携帯電話、ＩＣレコーダ等のそれぞれの回路基板の間の電気接続の保持に、本実施形態と同様の基板保持装置２が用いられてもよい。
【００１６】
図１は、内視鏡の操作部１を示す図である。図１に示すように、操作部１は、外装ケース３を備える。また、操作部１には、基板保持装置２が設けられている。基板保持装置２は、操作部１の内部から取り出すことが可能である。
【００１７】
図２乃至図５は、基板保持装置２を示す図である。図１乃至図４に示すように、基板保持装置２は、外装ケース３の一部である蓋部５と、蓋部５に取付けられるフレーム部６とを備える。フレーム部６は、スペーサ７及び締結部材であるねじ８を介して、蓋部５に取り付けられている。
【００１８】
基板保持装置２は、フレーム部６に取り付けられる撮像用の基板ユニット１０と、フレーム部６との間で基板ユニット１０を挟持するシールド部９とを備える。シールド部９と基板ユニット１０との間には、弾性部材１８が設けられている。フレーム部６、シールド部９及び基板ユニット１０は、外装ケース３の内部に配置されている。すなわち、外装ケース３は、基板ユニット１０、フレーム部６及びシールド部９が配置される空間を規定するケース部となっている。
【００１９】
基板ユニット１０は、第１の回路基板１１と、第１の回路基板１１に電気接続される第２の回路基板１２とを備える。基板ユニット１０では、第１の回路基板１１と第２の回路基板１２とが積層状態で配置されている。第１の回路基板１１は、ねじ１７を介してフレーム部６に取り付けられている。第２の回路基板１２は、第１の回路基板１１とシールド部９との間に設けられている。第１の回路基板１１には第１の電気回路１３が設けられ、第２の回路基板１２には第２の電気回路１４が設けられている。また、第１の回路基板１１には第１のコネクタ１５が設けられ、第２の回路基板１２には第２のコネクタ１６が設けられている。第１のコネクタ１５と第２のコネクタ１６とが係合することにより、第１の回路基板１１と第２の回路基板１２との間が電気的に接続される。
【００２０】
シールド部９は、可撓性を有し、一体形成されている。シールド部９は、フレーム部６に固定される固定端である第１の端部２１を備える。第１の端部２１は、ねじ１７を介して、フレーム部６に固定されている。また、シールド部９は、第１の端部２１と反対側に設けられる自由端である第２の端部２２を備える。図５に示すように、第１の回路基板１１の第１のコネクタ１５と第２の回路基板１２の第２のコネクタ１６とが正常に係合していない状態では、シールド部９は第１の端部２１を支点としてフレーム部６から離れる方向に撓む第１の撓み状態となる。一方、図４に示すように、第１のコネクタ１５と第２のコネクタ１６とが正常に係合している状態では、シールド部９は撓んでいない第２の撓み状態となる。すなわち、シールド部９は、第１の撓み状態と第２の撓み状態との間で撓み状態が変化する。
【００２１】
外装ケース３の内周面には、シールド部９が撓んだ第１の撓み状態の際にシールド部９の第２の端部２２が当接する当接部２３が設けられている。第２の端部２２が当接部２３に当接することにより、当接部２３はシールド部９にフレーム部６へ向かう力を与える。これにより、シールド部９が基板ユニット１０の第２の回路基板１２を第１の回路基板１１に向かって押圧する。一方、シールド部９が撓んでいない第２の撓み状態では、シールド部９の第２の端部２２は当接部２３に当接していない。このため、当接部２３はシールド部９に力を与えない。
【００２２】
次に、本実施形態の基板保持装置２の作用について説明する。基板保持装置２において、第１の回路基板１１の第１のコネクタ１５と第２の回路基板１２の第２のコネクタ１６とが正常に係合していない状態で、シールド部９は第１の端部２１を支点としてフレーム部６から離れる方向に撓む第１の撓み状態となる（図５参照）。この際、シールド部９の第２の端部２２が外装ケース３の当接部２３に当接する。第２の端部２２が当接部２３に当接することにより、当接部２３はシールド部９にフレーム部６へ向かう力を与える。これにより、シールド部９が基板ユニット１０の第２の回路基板１２を第１の回路基板１１に向かって押圧する。これにより、第１のコネクタ１５と第２のコネクタ１６とが正常に係合し、第１の回路基板１１と第２の回路基板１２との間の電気接続が保持される。
【００２３】
この際、シールド部９が一体で形成されているため、当接部２３から受けた力が、シールド部９の第２の回路基板１２を押圧する部分に適切に伝達される。これにより、シールド部９が、適切に第２の回路基板１２を押圧する。
【００２４】
一方、第１のコネクタ１５と第２のコネクタ１６とが正常に係合している状態では、シールド部９は撓んでいない第２の撓み状態となる（図４参照）。このため、シールド部９の第２の端部２２が外装ケース３の当接部２３に当接せず、当接部２３はシールド部９に力を与えない。これにより、第１のコネクタ１５及び第２のコネクタ１６に過度の負荷が掛からない。
【００２５】
そこで、上記構成の基板保持装置２では、以下の効果を奏する。すなわち、基板保持装置２において、第１の回路基板１１の第１のコネクタ１５と第２の回路基板１２の第２のコネクタ１６とが正常に係合していない状態で、シールド部９は第１の端部２１を支点としてフレーム部６から離れる方向に撓む第１の撓み状態となり、シールド部９の第２の端部２２が外装ケース３の当接部２３に当接する。第２の端部２２が当接部２３に当接することにより、当接部２３はシールド部９にフレーム部６へ向かう力を与える。これにより、シールド部９が基板ユニット１０の第２の回路基板１２を第１の回路基板１１に向かって押圧する。したがって、第１のコネクタ１５と第２のコネクタ１６とが正常に係合し、第１の回路基板１１と第２の回路基板１２との間の電気接続を保持することができる。
【００２６】
また、基板保持装置２では、シールド部９が一体で形成されている。このため、当接部２３から受けた力が、シールド部９の第２の回路基板１２を押圧する部分に適切に伝達される。これにより、シールド部９が、適切に第２の回路基板１２を押圧する。したがって、基板ユニット１０の第１の回路基板１１と第２の回路基板１２との間の電気接続をより確実に保持することができる。
【００２７】
また、基板保持装置２において、第１のコネクタ１５と第２のコネクタ１６とが正常に係合している状態では、シールド部９は撓んでいない第２の撓み状態となる。このため、シールド部９の第２の端部２２が外装ケース３の当接部２３に当接せず、当接部２３はシールド部９に力を与えない。これにより、第１のコネクタ１５及び第２のコネクタ１６に過度の負荷が掛からない基板保持装置２を提供することができる。また、このような構成にすることにより、基板保持装置２の組み立て時に、シールド部９の第１の端部２１をフレーム部６に固定するねじ１７のトルクの調整を行う必要はない。これにより、基板保持装置２の組み立て時の作業性の低下を防止することができる。
【００２８】
さらに、基板保持装置２では、第１の回路基板１１と第２の回路基板１２との間は、第１のコネクタ１５及び第２のコネクタ１６により連結され、第１の回路基板１１と第２の回路基板１２との間を連結するスペーサ、締結部材等は設けられていない。このため、基板保持装置２の部品の点数を最小限に抑えることができる。また、基板保持装置２では、第１の回路基板１１及び第２の回路基板１２にスペーサを取り付ける箇所を設ける必要がなく、スペーサの寸法に対応させて第１の回路基板１１と第２の回路基板１２との間の間隔を確保する必要もない。したがって、第１の回路基板１１及び第２の回路基板１２の大きさ、基板ユニット１０の大きさが制限される内視鏡の操作部１等の限られたスペースでも、基板ユニット１０を配置することができる。
【００２９】
（変形例）  
なお、上述の実施形態では、シールド部９は、一体形成さているが、これに限るものではない。例えば、ねじ等を介して２つの部材を連結することにより、シールド部９を形成してもよい。すなわち、シールド部９は、フレーム部６に固定される固定端である第１の端部２１と、第１の端部２１と反対側に設けられる自由端である第２の端部２２とを備えればよい。そして、第１の端部２１を支点としてフレーム部６から離れる方向に撓む第１の撓み状態と、撓んでいない第２の撓み状態との間でシールド部９の撓み状態が変化すればよい。この場合、シールド部９が撓んだ第１の状態では、シールド部９の第２の端部２２が当接部２３に当接する。
【００３０】
また、上述の実施形態では、基板ユニット１０は、第１の回路基板１１と、第１の回路基板１１に電気接続される第２の回路基板１２とを備えるが、これに限るものではない。例えば、基板ユニット１０は、積層状態で配置される３つ以上の回路基板を備え、それぞれの回路基板の間が電気接続されていてもよい。すなわち、基板ユニット１０は、電気回路（１３，１４）を備え、フレーム部６とシールド部９との間で挟持されていればよい。
【００３１】
さらに、上述の実施形態では、外装ケース３により、フレーム部６、シールド部９、基板ユニット１０が配置される空間が規定されているが、これに限るものではない。例えば、外装ケース３に固定された別部材により、フレーム部６、シールド部９、基板ユニット１０が配置される空間を規定してもよい。この場合、外装ケース３に固定された別部材がケース部となる。また、外装ケース３に固定された別部材に、シールド部９が第１の撓み状態の際にシールド部９の第２の端部２２が当接する当接部２３が設けられる。
【００３２】
以上、本発明の実施形態について説明したが、本発明は上記の実施形態に限定されるものではなく、本発明の要旨を逸脱しない範囲で種々の変形ができることは勿論である。
【符号の説明】
【００３３】
３…外装ケース、６…フレーム部、９…シールド部、１０…基板ユニット、１１…第１の回路基板、１２…第２の回路基板、２１…第１の端部、２２…第２の端部、２３…当接部。
【図１】
0005489936.tif 000002
【図２】
0005489936.tif 000003
【図３】
0005489936.tif 000004
【図４】
0005489936.tif 000005
【図５】
0005489936.tif 000006